(57)【要約】【課題】  ＸＰＳのような階層構造を保持し各階層にて印刷設定が設定可能な印刷ジョブの結合を行うことが可能とする。  更に、結合した際に印刷ジョブの上位階層に設定されている印刷設定の丸め処理を減少させ、ユーザーの意図する印刷を可能とする。【解決手段】  （１）ジョブリスト、プレビュー、印刷設定UIを保持するアプリケーションに対してプリンタドライバから印刷データをスプールする。  （２）ジョブリストを表示しユーザーの指示に従い結合処理を行う。  （３）結合を行う各ジョブをドキュメントの階層として作成する。  （４）ジョブの階層に設定されていた印刷設定を可能な限りドキュメントの階層の設定に変更し前記作成したドキュメントに設定する。【選択図】  図１
2010026924.tif 000002
【特許請求の範囲】
【請求項１】
印刷装置に送信すべき印刷データを生成する情報処理装置であって、アプリケーションにより生成された印刷すべきデータをスプールする手段と、
前記スプール手段によりスプールされた印刷データと印刷データに付随する印刷設定情報とに基づいてユーザーインターフェースを表示する表示制御手段と、
前記スプールされた印刷データに基づいて１つの結合された印刷ジョブを生成するジョブ結合手段とを有し、
前記ジョブ結合手段は前記スプールされた印刷データの保持する階層構造を解析する印刷ジョブ階層構造解析手段と、
前記印刷ジョブ解析手段により解析された階層に付与されている印刷設定を取得する階層印刷設定取得手段と、
前記階層印刷設定取得手段により取得された印刷設定の適用範囲を変換する印刷設定適用範囲変更手段と、
前記階層印刷設定取得手段により取得された印刷設定が指定対象範囲内に存在するかを検索する印刷設定検索手段と
を有することを特徴とする情報処理装置。
【請求項２】
前記表示制御手段は前記スプールされた印刷データの内容を表示する印刷ジョブプレビュー表示手段と、
前記表示制御手段は前記スプールされた印刷データの印刷設定の変更を行う印刷設定変更表示手段と、
前記表示制御手段は前記スプールされた印刷データのジョブ情報を表示する印刷ジョブ情報表示手段とを更に
有することを特徴とする請求項１に記載の情報処理装置。
【発明の詳細な説明】
【技術分野】
【０００１】
本発明は、例えば図１２に示すようなＸＰＳ(Xml Paper Specification)のようにジョブ(Fixed Document Sequence)、ドキュメント(Fixed Document)、ページ(Fixed Page)などの階層構造を有し、さらに各階層にてプリントチケットなどの印刷設定を有する印刷データを用いて印刷を行うプリントシステムに関するものであり、特にプリンタドライバにて実行する印刷システムおよび印刷処理制御方法に関するものである。
【背景技術】
【０００２】
従来、あるアプリケーションにより生成された１つの印刷ジョブを印刷する際に通常その印刷ジョブに対して予めプリンタドライバにて設定される複数の印刷設定項目からなる一組の印刷設定属性が定義されている。また、アプリケーションで印刷指示した文書データをプリンタに出力せずにクライアントに保持しておき、複数の文書データをまとめて１つのジョブとしてプリンタに送信する「まとめ印刷」機能を有するソフトウェアがある。
【０００３】
ユーザーが複数のアプリケーション、例えば、文書を作成するのに適したアプリケーションＡ、表を作成するのに適したアプリケーションＢ、図面を作成するのに適したアプリケーションＣ等により生成した印刷ジョブをまとめて印刷したい場合があるが、しかしながら「まとめ印刷」機能は、複数の印刷ジョブをまとめて１つの印刷ジョブにしているだけであり、まとめ印刷するという指示がされ、まとめ印刷用にデータをスプールした順番で印刷時も出力されるため、ユーザーは出力したページにスプールしなければならず、使い勝手が悪いという問題があった。例えば、文書、図面、文書、表、文書と１ページずつなる資料を印刷したい場合には、アプリケーションＡにより１ページ目を作成し、スプールさせ、アプリケーションＢにより２ページ目を作成し、スプールさせ、再度アプリケーションＡにより３ページ目を作成し、スプールさせ、アプリケーションＣにより４ページ目を作成し、スプールさせ、アプリケーションＡにより５ページ目を作成して、スプールしなければならなかった。また、そのため複数のアプリケーション・ファイルをまとめて１つの印刷ジョブとして印刷したい場合プリンタドライバにて提供される機能を反映したプレビューを見ることもできないという問題があった。上記のような問題点を解決するために一度スプールした印刷ジョブをさらに編集・結合する仕組みが提供されている（例えば特許文献１）。
【特許文献１】特許第03619087号公報
【発明の開示】
【発明が解決しようとする課題】
【０００４】
しかしながら従来の技術についてはＸＰＳのような階層構造をもつ印刷設定の場合については言及されておらず、各階層が保持している印刷設定についての処理が不十分であった。そのため、ジョブスコープの印刷設定について丸め処理が多数起こってしまい結合前のオリジナル印刷ジョブの印刷設定が失われユーザーの意図する印刷結果にならないことがあった。
【課題を解決するための手段】
【０００５】
上記課題を解決するために、本発明に係る情報処理装置は、
印刷装置に送信すべき印刷データを生成する情報処理装置であって、アプリケーションにより生成された印刷すべきデータをスプールする手段と、
前記スプール手段によりスプールされた印刷データを印刷データに付随する印刷設定情報とともにユーザーインターフェースを表示する表示制御手段と、
前記スプールされた印刷データに基づいて１つの結合された印刷ジョブを生成するジョブ結合手段とを有し、
前記ジョブ結合手段は前記スプールされた印刷データの保持する階層構造を解析する印刷ジョブ階層構造解析手段と、
前記印刷ジョブ解析手段により解析された階層に付与されている印刷設定を取得する階層印刷設定取得手段と、
前記階層印刷設定取得手段により取得された印刷設定の適用範囲を変換する印刷設定適用範囲変更手段と、
前記階層印刷設定取得手段により取得された印刷設定が指定対象範囲内に存在するかを検索する印刷設定検索手段と
を有することを特徴とする。
【発明の効果】
【０００６】
本発明を適用することでＸＰＳのような階層構造を保持し各階層にて印刷設定が設定可能な印刷ジョブの結合を行うことが可能となる。さらに、結合した際に印刷ジョブの上位階層に設定されている印刷設定の丸め処理を減少させ、ユーザーの意図する印刷結果が可能となる。
【発明を実施するための最良の形態】
【０００７】
次に、本発明の詳細を実施例の記述に従って説明する。
【実施例１】
【０００８】
以下、本発明を適用するのに好適である実施例について説明を行う。
【０００９】
＜システムの構成＞
印刷システムの構成
図１は、本発明の実施形態に係る印刷システムの構成を示すブロック図である。なお、本発明の機能が実行されるのであれば、単体の機器であっても、複数の機器からなるシステムであっても、ＬＡＮ,ＷＡＮ等のネットワークを介して接続され、処理が行われるシステムであっても本発明を適用できる。
【００１０】
同図において、コンピュータ３０００は、ＲＯＭ３のプログラム用ＲＯＭあるいは外部メモリ１１に記憶された文書処理プログラム等に基づいて、以降で後述される本発明の各実施形態に係わる処理を含む、図形、イメージ、文字、表（表計算等を含む）等が混在した文書処理およびそれに基づく印刷処理の実行を制御するＣＰＵ１を備えている。このＣＰＵ１がシステムバス４に接続される各デバイスの制御を総括する。また、ＲＯＭ３のプログラム用ＲＯＭあるいは外部メモリ１１には、ＣＰＵ１の制御プログラムであるオペレーティングシステムプログラム（以下ＯＳ）等が記憶されている。また、ＲＯＭ３のフォント用ＲＯＭあるいは外部メモリ１１には上記文書処理の際に使用するフォントデータ等が記憶されている。さらに、ＲＯＭ３のデータ用ＲＯＭあるいは外部メモリ１１には上記文書処理等を行う際に使用する各種データが記憶されている。ＲＡＭ２は、ＣＰＵ１の主メモリ、ワークエリア等として機能する。
【００１１】
キーボードコントローラ（ＫＢＣ）５は、キーボード９や不図示のポインティングデバイスからのキー入力を制御する。ＣＲＴコントローラ（ＣＲＴＣ）６は、地紋画像の表示を含む、ＣＲＴディスプレイ（ＣＲＴ）１０による表示を制御する。７はディスクコントローラ（ＤＫＣ）を示し、ブートプログラム、各種のアプリケーション、フォントデータ、ユーザファイル、編集ファイル、プリンタ制御コマンド生成プログラム（以下印刷制御装置）等を記憶するハードディスク（ＨＤ）、フレキシブルディスク（ＦＤ）等の外部メモリ１１とのアクセスを制御する。プリンタコントローラ（ＰＲＴＣ）８は、双方向性インターフェース（インターフェース）２１を介してプリンタ１５００に接続されて、プリンタ１５００との通信制御処理を実行する。
【００１２】
なお、ＣＰＵ１は、ＣＲＴ１０上の不図示のマウスカーソル等で指示されたコマンドに基づいて、予め登録された種々のウィンドウを開き、種々のデータ処理を実行する。ユーザは印刷を実行する際、印刷の設定に関するウィンドウを開き、プリンタの設定や、印刷モードの選択を含む印刷制御装置に対する印刷処理方法の設定を行うことができる。
【００１３】
プリンタ１５００は、そのＣＰＵ１２によって制御される。プリンタＣＰＵ１２は、ＲＯＭ１３に記憶された制御プログラム等、あるいは外部メモリ１４に記憶された制御プログラム等に基づいてシステムバス１５に接続される印刷部（プリンタエンジン）１７に印刷出力情報としての画像信号を出力する。
【００１４】
また、このＲＯＭ１３のプログラムＲＯＭには、ＣＰＵ１２の制御プログラム等が記憶される。また、ＲＯＭ１３のフォント用ＲＯＭには上記印刷出力情報を生成する際に使用するフォントデータ等が記憶される。また、ＲＯＭ１３のデータ用ＲＯＭには、ハードディスク等の外部メモリ１４がないプリンタの場合には、コンピュータ上で利用される情報等が記憶されている。
【００１５】
ＣＰＵ１２は入力部１８を介してコンピュータとの通信処理が可能となっている。これにより、プリンタ内の情報等をコンピュータ３０００に通知できる。ＲＡＭ１９は、ＣＰＵ１２の主メモリや、ワークエリア等として機能するＲＡＭである。また、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。
【００１６】
前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１８は前述した操作パネルで操作のためのスイッチおよびＬＥＤ表示器等である。
【００１７】
また、プリンタ１５００は図示しないＮＶＲＡＭを有し、操作パネル１５０１からのプリンタモード設定情報を記憶するようにしてもよい。
【００１８】
印刷部１７は本実施形態では電子写真方式のエンジンとしている。なお、本発明における印刷の方式はこのような電子写真方式に限られないことはもちろんである。
【００１９】
図２は、図１に示したコンピュータ３０００における印刷処理のための一構成を示す図である。アプリケーション２０１、グラフィックエンジン２０２、プリンタドライバ２０３、およびシステムスプーラ２０４は、外部メモリ１１に保存されたファイルとして存在する。そして、これらは、ＯＳやそのモジュールを利用するモジュールによってＲＡＭ２にロードされて実行されるプログラムモジュールである。
【００２０】
また、アプリケーション２０１およびプリンタドライバ２０３は、外部メモリ１１のＦＤや不図示のＣＤ−ＲＯＭ、あるいは不図示のネットワークを経由して外部メモリ１１のＨＤに追加することが可能となっている。外部メモリ１１に保存されているアプリケーション２０１はＲＡＭ２にロードされて実行されるが、このアプリケーション２０１からプリンタ１５００に対して印刷を行う際には、同様にＲＡＭ２にロードされ実行可能となっているグラフィックエンジン２０２を利用して出力（描画）を行う。
【００２１】
グラフィックエンジン２０２は、プリンタなどの印刷装置ごとに用意されたプリンタドライバ２０３を外部メモリ１１からＲＡＭ２にロードし、アプリケーション２０１の出力を印刷制御装置２０３に設定する。また、グラフィックエンジン２０２はアプリケーション２０１から印刷設定もしくは印刷用データを受け取り、プリンタドライバ２０３へ出力する。プリンタドライバ２０３のUIコンポーネント２０５は、グラフィックエンジン２０２から印刷設定を受取り、印刷設定を表示、変更などを行いグラフィックエンジンを通してアプリケーションに返却する。プリンタドライバ２０３のグラフィックコンポーネント２０６はグラフィックエンジン２０２から印刷用データを受取り、プリンタが認識可能な制御コマンド、例えばＰＤＬ（Page Description Language）に変換する。変換されたプリンタ制御コマンドは、ＯＳによってＲＡＭ２にロードされたシステムスプーラ２０４を経てインターフェース２１経由でプリンタ１５００へ印刷データとして出力される仕組みとなっている。
【００２２】
＜印刷設定処理＞
本発明における印刷設定の処理について図３、図４を用いて説明する。
【００２３】
図３は本発明の印刷設定におけるシステムのデータフローを示した図である。図４は本発明のプリンタドライバにおける印刷設定の変更に関する処理全般についてのフローチャートである。
【００２４】
図３を用いて本発明の印刷設定におけるシステムのデータフローを説明する。３０１は印刷設定制御部であり禁則処理を行う。３０２はUI表示部であり禁則処理を行った印刷設定を基にプリンタドライバユーザーインターフェースの表示を行う。３０３はアプリケーションが設定し、プリンタドライバのUIコンポーネント２０５に投入された印刷設定である。３０４はプリンタドライバにより設定された印刷設定である。UIコンポーネント２０５はアプリケーション印刷設定３０３を受取り表示し加工後プリンタドライバ印刷設定３０４としてアプリケーションに返却する。
【００２５】
図４、図７を用いて印刷設定の処理全般について説明する。ステップS４０１にてUIコンポーネント２０５は印刷設定を受信する。次にステップS４０２にて受信した印刷設定の解析を行う。そしてステップS４０３にて禁則処理を行いコンフリクトの発生していない状態の印刷設定に変換しステップS４０４にて図７のプリンタドライバユーザインターフェース７０１を表示する。７０２〜７０４はプリンタドライバユーザインターフェース７０１が保持する印刷機能の設定の一部である。例えば７０２により出力用紙サイズを変更可能であり、７０３はページレイアウトを変更することが可能であり、７０４はスタンプを付加、編集することが可能である。また、７０５にて印刷ジョブのプレビューや編集・結合を行う。S４０５でプリンタドライバユーザインターフェース７０１において７０２や７０３や７０４や７０５などの印刷設定の変更がユーザーから指示されているかを検知し印刷設定の変更が指示されている場合には再び変更後の印刷設定をもとにステップ４０２へと進む。７０６を押下することでステップS４０６に進み印刷設定の作成が完了する。
【００２６】
＜印刷実行時の処理＞
図５は本発明における実施例の印刷実行処理のデータフローを示す図である。図６は印刷実行処理全体を示すフローチャートである。
【００２７】
図５、図６を用いて印刷実行処理の全体を説明する。
【００２８】
ステップS６０１においてグラフィックコンポーネント２０５はアプリケーションが作成した印刷用データ５０１をグラフィックエンジン２０２を通じて取得もしくは受信する。ステップS６０２にて印刷設定の解析を行う。続いてステップS６０３ではＳ６０２の解析結果をもとにグラフィックコンポーネントスプーラー５０２はプレビューの設定があるかを判断し、プレビュー設定がなしと判断された場合にはステップＳ６０４に進みプレビュー設定が有りと判断された場合にはステップＳ６０６に進む。ステップＳ６０４ではＳ６０２にて解析された印刷設定に基づいて機能（たとえばレイアウトの変更やスタンプの付加など）処理を実行する。続いてステップＳ６０５にてプリンタが理解可能な形、たとえばPDLなどに変換し、システムスプーラ２０４を通してプリンタへ印刷データ５０５を送信し、処理を終了する。ステップＳ６０６にてグラフィックコンポーネントスプーラー５０２はプレビュー・編集モジュール５０６を起動する。ステップＳ６０６ではあわせてユーザー名などの情報を通知してもよい。続いてステップＳ６０７にてグラフィックコンポーネントスプーラー５０２はＳ６０１に取得した印刷用データ５０１−２をスプールする。続いてステップＳ６０８にてグラフィックコンポーネントスプーラー５０２はプレビュー・編集モジュール５０６にスプールした場所を通知し処理を終了する。
【００２９】
＜印刷ジョブプレビュー・編集モジュールユーザーインターフェースの説明＞
図１０の１００１は図６におけるステップＳ６０６にて起動されたプレビュー・編集モジュール５０６のユーザーインターフェースの一例である。１００２では本モジュールにおける種々の操作を行うことが可能なメニューでありメニュー内に結合を指示するメニューアイテムを保持する。１００３は印刷ジョブに対する種々の操作をボタンを押下することで可能なツールバーである。１００４は現在本モジュールにスプールされた印刷ジョブの内容を表示するジョブリスト領域である（以下ジョブリスト）。ジョブリスト内では印刷ジョブに付属する情報としてジョブ名称やページ数、レイアウト、出力方法、状態などを表示することが可能である。さらに、印刷ジョブ内に存在するドキュメントなどの階層構造を表示する。１００５現在ジョブリスト１００４にてフォーカスの存在するジョブ内のページを表示するプレビュー領域である（以下プレビュー領域）。１００６はジョブリスト１００４にてフォーカスの存在する印刷ジョブに対する印刷設定を行う印刷設定領域（以下印刷設定領域）である。１００７は印刷ジョブの部数を設定するスピンボックスである。１００８は印刷ジョブの出力方法を印刷ジョブに対して行うことを可能とするためのチェックボックスであり、ＯＮの状態にすることで１００９を選択可能な状態とする。１００９は印刷方法（たとえば片面印刷や両面印刷、製本印刷など）を選択するためのコンボボックスである。１０１０は印刷ジョブの出力用紙サイズを印刷ジョブに対して行うことを可能とするためのチェックボックスであり、ＯＮの状態にすることで１０１１を選択可能な状態とする。１０１１は出力用紙サイズ（たとえばＡ４やＡ３）を選択するためのコンボボックスである。１０１２は印刷ジョブのレイアウトを印刷ジョブに対して行うことを可能とするためのチェックボックスであり、ＯＮの状態にすることで１０１４を選択可能な状態とする。１０１３は現在選択されているレイアウト情報を表示する。１０１４はレイアウト（例えば2Upや4Up）を選択するためのリストボックスである。１０１５は後述する結合ジョブに対してどのような区切りを行うかの選択を可能にするためのチェックボックスであり、ＯＮの状態にすることで１０１６を選択可能とする。１０１６は印刷ジョブ結合時にドキュメントの区切り方法（例えばなし、面変え、用紙変え）を設定するコンボボックスである。１０１７は印刷ジョブの印刷設定を初期状態に戻すことが可能なボタンである。１０１８はドライバＵＩ７０１を表示し詳細な印刷設定を可能とするボタンである。１０１９はセンタ中のジョブを印刷するためのボタンである。１０２０は選択中の印刷ジョブを削除するためのボタンである。１０２１はジョブリスト１００４にてフォーカス中の印刷ジョブ（プレビュー領域１００５にて表示中の印刷ジョブ）に対して操作を行うためのツールバーであり、例えば表示モードを１ページ表示や２ページ表示に変更、表示倍率、表示ページを変更することが可能である。
【００３０】
＜印刷ジョブの結合処理＞
図８は本発明における実施例の印刷ジョブの結合処理のフローチャートである。図９は印刷ジョブプレビュー・編集モジュールのブロック図である。
【００３１】
ジョブリスト１００４において複数のジョブを選択しメニュー１００２内の結合メニューアイテムもしくはツールバー１００３内の結合ボタンもしくは不図示の結合を開始するボタンを配置し押下することで印刷ジョブの結合処理が開始される。印刷ジョブとして本実施例では図１２に示すＸＰＳによる印刷ジョブに対する結合処理について記載する。ＸＰＳ以外の階層構造を持つようなジョブの結合処理に適用することも可能である。
【００３２】
ステップＳ８０１では印刷ジョブ結合実行部９０３は結合印刷ジョブとして新規印刷ジョブを空の状態で作成する。続いてステップＳ８０２にてジョブリスト１００５においてユーザーにより選択状態となっている印刷ジョブのデータを１つ取得する。続いてステップＳ８０３にてジョブの階層に付与されている印刷設定を取得する。ステップＳ８０４では印刷設定解析部９０２にて取得した印刷設定がジョブのスコープかどうかの判断を行い、ジョブスコープであればステップＳ８０５に進み、ジョブスコープでなければステップＳ８０９に進む。ここでスコープとはどの範囲に対して有効であるかを示しジョブスコープの印刷設定とはジョブ全体に対して有効な設定であるということである。ステップＳ８０５では印刷設定解析部９０２はジョブスコープの印刷設定がドキュメントスコープの印刷設定に変換可能かを判断する。変更不可であればステップＳ８０６に進み、変更可能であればステップＳ８０８に進む。ステップＳ８０６では印刷ジョブ結合実行部９０３は作成中の結合新規印刷ジョブに取得したジョブスコープの該当印刷設定が存在するかを判断する。存在しなかった場合にはステップＳ８０７に進み、存在した場合にはステップＳ８１１に進む。ステップＳ８０８では印刷設定解析部９０２はジョブスコープの印刷設定をドキュメントスコープの印刷設定に変更する。例えばジョブスコープのNUp印刷設定をドキュメントスコープのNUp印刷設定への変換などが考えられる。ステップＳ８０９では印刷ジョブ結合実行部９０３は現在取得している結合対象ジョブのドキュメント階層にすでに該当印刷設定が存在するかどうかを判断する。存在しない場合にはステップＳ８１０に進み、存在した場合にはステップＳ８１１に進む。ステップＳ８１１では印刷ジョブ結合実行部９０３はジョブ階層に付与されている印刷設定がすべて処理を完了したかどうかを判断しすべて完了していなければステップＳ８０３に進み、すべて完了していればステップＳ８１２に進む。ステップＳ８１２では印刷ジョブ結合実行部９０３は新規結合ジョブに現在取得している結合対象ジョブのドキュメントを追加する。本処理においては新規結合ジョブにはドキュメントに付与されているドキュメント階層の印刷設定、ページ、ページ階層に付与されている印刷設定も合わせて追加される。続いてステップＳ８１３にて印刷ジョブ結合実行部９０３はユーザーが選択している結合対象印刷ジョブに対する処理がすべて終了したかどうかを判断しすべて終了していればステップＳ８１４に進み、終了していなければステップＳ８０２に進む。ステップＳ８１４では本結合処理における終了処理を行う。例えば印刷ジョブデータ管理部９０４は結合対象ジョブの削除などを行い、処理を終了する。本処理の終了後にはＵＩ制御部９０５は図１１のように図１０を更新したＵＩを表示する。
【００３３】
本結合処理の実行後印刷設定領域１００６にて印刷設定の変更を行うことが可能である。さらに印刷実行部９０６を通して再度結合印刷ジョブを印刷することが可能である。
【図面の簡単な説明】
【００３４】
【図１】本発明の実施形態に係る印刷システムの構成を示すブロック図。
【図２】コンピュータ３０００における印刷処理のための一構成を示す図。
【図３】印刷設定の関する処理のデータフロー図。
【図４】印刷設定に関する処理の概要を示すフローチャート。
【図５】印刷実行時のデータフロー図。
【図６】印刷実行時のフローチャート。
【図７】本発明に関するプリンタドライバユーザーインターフェースの一例を示す図。
【図８】結合処理のフローチャート。
【図９】印刷ジョブプレビュー・編集モジュールのブロック図。
【図１０】印刷ジョブプレビュー・編集モジュールユーザーインターフェースの一例を示す図。
【図１１】印刷ジョブプレビュー・編集モジュールユーザーインターフェースの印刷ジョブ結合後の一例を示す図。
【図１２】ＸＰＳの階層構造を示す図。
【図１】
2010026924.tif 000003
【図２】
2010026924.tif 000004
【図３】
2010026924.tif 000005
【図４】
2010026924.tif 000006
【図５】
2010026924.tif 000007
【図６】
2010026924.tif 000008
【図７】
2010026924.tif 000009
【図８】
2010026924.tif 000010
【図９】
2010026924.tif 000011
【図１０】
2010026924.tif 000012
【図１１】
2010026924.tif 000013
【図１２】
2010026924.tif 000014